【事件の表示】
　平成　３年特許願第２１０４９９号「光学的造形装置及び方法」拒絶査定に対する審判事件［平成　５年　２月１９日出願公開、特開平　５−　４０８１０］について、次のとおり審決する。
【結　論】
　本件審判の請求は、成り立たない。
【理　由】
１．手続の経緯等
　本願は、平成３年７月２９日の出願であって、平成４年９月４日付け、平成１３年２月２６日付け、平成１３年５月２９日付け、及び平成１３年１０月１日付けの手続補正書によって補正された明細書及び図面の記載から、本願の請求項１に係る発明（以下、本願発明という。）は、特許請求の範囲の請求項１に記載された次のとおりのものである。
　
「立体形状を形成するための形状モデルに関するデータを取り込むに際して、各種のＣＡＤシステムによって出力されるデータ形式の違いに対処するために、形式変換用のインターフェースフォーマットが用意されていて、当該フォーマットを通して取り込まれたデータに基いて、液状の光硬化性樹脂材の表面へのビーム照射により断面体を形成しこれら断面体を積層することによって所望の立体形状を形成する光学的造形装置であって、
　上記形状モデルに関する複数の基本要素に応じたデータ構造に従うデータ群について、上記インターフェースフォーマットに従いデータブロックを単位として取り込むとともに、該データブロック毎に配置され、かつ形状の基本要素の種別を指定する識別情報を取り込み当該識別情報からデータブロックにおけるデータ部の構造を判別するデータ処理手段と、
　上記データ処理手段からのデータに基づいて光走査により光硬化性樹脂に照射し、当該樹脂を層状に硬化させて積層するための制御手段とを備えた
　ことを特徴とする光学的造形装置。」
　
２．引用例
　これに対して、原審の拒絶理由で引用された「合成樹脂、第３６巻第１０号第２６−３０頁、山本真伸ほか「家電・電子機器の形状表現のための光造形技術」（平成２年１０月１日発行）」（以下、引用例という。）には次の記載がなされている。
　
（１）「・ハードウェア
　実際の光造形システムは光学系，制御用コンピュータ，樹脂タンクを含む機構系から構成されている（図３）。光造形は，図４に示す行程に従って行なわれる。
　光硬化樹脂の自由液面に偏向されたレーザービームを照射し，硬化した表面樹脂層をエレベータステージ上に所定のピッチで積層していくことによって立体形状が形成できる。」（第２９頁左欄第１−９行）
　
（２）「・ソフトウェア
　ソフトウェアとしては，次のような基本的機能が必要である。
　１．ＣＡＤインタフェース
　２．等高断面データ作成（計算）
　３．ベクター／ラスター変換
　４．オフセットスキャンニング
ＣＡＤインタフェース
　３次元ＣＡＤシステムには，ソリッドモデル，サーフェスモデルがあるが，装置内に取り込む際は，設計されたモデルが装置内にあるコンピュータで処理しやすいフォーマットに変換する必要がある。ソリッドモデルの場合は多面体データとして，サーフェスモデルの場合は多面体かサーフェスデータとして取り込む方法が一般的である。」（第２９頁右欄第１８行−第３０頁左欄第１行）
　
（３）「２．等高断面データ作成
　装置内にあるコンピュータに上記のＣＡＤインタフェースによって取り込んだ後，等高断面データ作成を行なう。これは，効果・積層するピッチ（例えば０．２mmピッチ）でモデルをソフトウェア的に“スライシング”し，幾層かの等高線を得る機能である。多面体データのスライシング時間とサーフェスデータのそれでは，前者の方が速いが，精度面ではサーフェスデータのほうが，あるトレランス範囲内でスライシング出きるため，既に平面近似された多面体データの処理よりは優れている（図５）。
３．ベクター／ラスター変換
　２の等高断面データ作成で得られた等高線（ベクターデータ）をもとにレーザーで硬化させる領域を計算（ラスターデータ作成）する。」（第３０頁左欄第１０−２５行）
　
　また、図３には「ハードウェア機構」として、「三次元ＣＡＤによって書かれたモデルから得られた形状データ」を取り込む「ワークステーション」、「マシンコントローラ」、「レーザスキャン制御装置」、「レーザ」及び「Ｘ−Ｙスキャナ」等からなる構成が、図４には「生成工程」として、積層して立体形状を形成する工程が、図５には「サーフェスと多面体のスライシング」として「自由曲面ダイレクトスライシング」と「多面体スライシング」が、それぞれ示されている。
　したがって、引用例には次の発明が記載されているといえる。
　
　「三次元ＣＡＤによって書かれたモデルから得られた形状データを取り込み、液状の光硬化性樹脂材の表面へのビーム照射により断面体を形成しこれら断面体を積層することによって所望の立体形状を形成する光造形システムであって、
　取り込んだデータに基づいて光走査により光硬化性樹脂に照射し、当該樹脂を層状に硬化させて積層するための制御用コンピュータとを備えた
　ことを特徴とする光造形システム。」
　
３．対比
　「光造形システム」は光学的造形装置といえるものであり、２．（２）に「３次元ＣＡＤシステムには，ソリッドモデル，サーフェスモデルがあるが，装置内に取り込む際は，設計されたモデルが装置内にあるコンピュータで処理しやすいフォーマットに変換する必要がある。」と記載されていることから、ＣＡＤシステムによって出力されるデータは、装置内にあるコンピュータで処理しやすいフォーマットに形式変換されるものといえ、「制御用コンピュータ」は制御手段といえるから、本願発明と引用例に記載された発明は次の点で一致する。
　
　「立体形状を形成するための形状モデルに関するデータを取り込むに際して、ＣＡＤシステムによって出力されるデータ形式に対処するために、形式変換用のインターフェースフォーマットが用意されていて、当該フォーマットを通して取り込まれたデータに基いて、液状の光硬化性樹脂材の表面へのビーム照射により断面体を形成しこれら断面体を積層することによって所望の立体形状を形成する光学的造形装置であって、
　取り込んだデータに基づいて光走査により光硬化性樹脂に照射し、当該樹脂を層状に硬化させて積層するための制御手段とを備えた
　ことを特徴とする光学的造形装置。」
　
　また、次の点で相異する。
　本願発明は「各種のＣＡＤシステムによって出力されるデータ形式の違いに対処するために、形式変換用のインターフェースフォーマットが用意されていて」とされるものであるのに対して、引用例のものは「設計されたモデルが装置内にあるコンピュータで処理しやすいフォーマットに変換する必要がある」ためであり、「形式変換用のインターフェースフォーマット」が「各種のＣＡＤシステムによって出力されるデータ形式の違いに対処する」ことは示されておらず、そのため、本願発明は「上記形状モデルに関する複数の基本要素に応じたデータ構造に従うデータ群について、上記インターフェースフォーマットに従いデータブロックを単位として取り込むとともに、該データブロック毎に配置され、かつ形状の基本要素の種別を指定する識別情報を取り込み当該識別情報からデータブロックにおけるデータ部の構造を判別するデータ処理手段」を有し、判別する処理がなされたデータによるために「上記データ処理手段からのデータに基づいて光走査により光硬化性樹脂に照射し、当該樹脂を層状に硬化させて積層するための制御手段」としているのに対して、引用例のものはそのようなデータ処理手段を有しておらず、そのようなデータ処理手段からのデータに基づいて光走査するものではない点。
　
４．相違点に対する判断
　ＣＡＤシステムには、複数の形状モデルがあることは周知のことであり、引用例にも２．（２）に「３次元ＣＡＤシステムには，ソリッドモデル，サーフェスモデルがあるが，装置内に取り込む際は，設計されたモデルが装置内にあるコンピュータで処理しやすいフォーマットに変換する必要がある。ソリッドモデルの場合は多面体データとして，サーフェスモデルの場合は多面体かサーフェスデータとして取り込む方法が一般的である。」と記載されているように光学的造形装置においても各種の形状モデルを用いることが示されている。
　一つの光学的造形装置により複数のＣＡＤシステムの形状モデルに対処できたほうがよいことはもちろんであり、「ソリッドモデルの場合は多面体データとして，サーフェスモデルの場合は多面体かサーフェスデータとして取り込む方法が一般的である。」とあるように基本要素が異なるものであるから、そのデータ構造も当然異なるものとなるはずであり、データを所定の単位で取り込むことは普通のことであり、データブロックを単位とすることに困難な点もない。また、データの違いを判別するための情報を付加することは周知のことである。
　したがって、引用例に記載された発明に、各種のＣＡＤシステムによって出力されるデータ形式の違いに対処するため、形状モデルに関する複数の基本要素に応じたデータ構造に従うデータ群について、形式変換用のインターフェースフォーマットに従いデータブロックを単位として取り込むとともに、該データブロック毎に配置され、かつ形状の基本要素の種別を指定する識別情報を取り込み当該識別情報からデータブロックにおけるデータ部の構造を判別するデータ処理手段を設け、判別の処理がなされたデータに基づいて光走査するものとすることは、当業者が容易になしえることである。
　
５．むすび
　したがって、本願の請求項１に係る発明は、上記引用例に記載された発明に基づいて当業者が容易に発明をすることができたものであるから、特許法第２９条第２項の規定により特許を受けることができない。
　よって、結論のとおり審決する。